(57)【特許請求の範囲】
【請求項１】
親局６が周期的に出力したサンプリング用のタイミング基準信号Ｐｓを、局間の各往復伝送路８の下り伝送線８ａを通って折り返し子局７ｒまでの各子局７ａ，７ｂに順次に送り、
前記親局６及び前記各子局７により、前記タイミング基準信号Ｐｓに同期して電力系統１の系統電流をサンプリングし、
前記各子局７のサンプリングデータを、前記各往復伝送路８を通って前記親局６に送り、
前記親局６により、自局のサンプリングデータと受信した前記各子局７のサンプリングデータとの差から、前記電力系統１の系統事故を監視検出して動作する電流差動保護継電器のサンプリング同期方法であって、
前記親局６により、前記タイミング基準信号Ｐｓを一定回数出力する毎に下りの計測指令フラグＦ１を出力し、
前記下りの計測指令フラグＦ１を、前記各往復伝送路８の下り伝送線８ａを通って前記各子局７に順次に送り、
前記折返しの子局７ｒにより、受信した前記下りの計測指令フラグＦ１を上りの計測指令フラグＦ１’として折返し、前記各往復伝送路８の上り伝送線８ｂを通って前記親局６に返信し、
前記親局６により、前記上りの計測指令フラグＦ１’の受信からつぎの前記タイミング基準信号Ｐｓに同期して計測停止指令フラグＦ２を出力するまでの、前記親局６から前記各子局７それぞれまでの信号伝送の遅延時間ΔＴを含まない時間ＴＭを計測し、
前記親局６により、前記時間ＴＭを付加した計測停止指令フラグＦ２を、前記往復伝送路８の下り伝送線８ａを通って前記各子局７に送出し、
前記各子局７により、
前記上りの計測指令フラグＦ１’の送出から、前記計測停止指令フラグＦ２を受信するまでの、前記各子局７から前記親局６への前記遅延時間ΔＴ、前記時間ＴＭ及び前記親局６から前記各子局７への前記遅延時間ΔＴからなる時間ＴＳを計測し、
（ＴＳ−ＴＭ）／２の演算により、前記親局６から前記各子局７それぞれまでの信号伝送の遅延時間ΔＴを求め、
前記系統電流のサンプリングタイミングを、前記遅延時間ΔＴが０になるように補正し、
前記親局６及び前記各子局７が同期して前記系統電流をサンプリングするようにしたことを特徴とする電流差動保護継電器のサンプリング同期方法。
【発明の詳細な説明】
【０００１】
【発明の属する技術分野】
本発明は、電力系統各所の同時にサンプリングした電流波形の差から系統事故を監視検出して動作するデジタル形の電流差動保護継電器のサンプリング同期方法に関する。
【０００２】
【従来の技術】
従来、この種デジタル形の電流差動保護継電器は、図４に示すように、電力系統１の変電所等の電気所に親局２を設け、電力系統１に沿って適当な間隔で例えば＃１の子局３ａ，＃２の子局３ｂ，端末の折返しの子局（ＬＢ局）３ｒを設け、各局２，３ａ〜３ｒ間（局間）を、それぞれ下り伝送線４ａと上り伝送線４ｂとからなる光ＰＣＭ通信用の往復伝送路４で接続して形成され、光ＰＣＭ電流差動リレーとも呼ばれる。
なお、図中の５は各局２，３ａ〜３ｒの計器用変流器（電流計測手段）である。
【０００３】
そして、電力系統１が６０Hzであれば、各局２，３ａ〜３ｒによって系統電源の電気角３０°毎に系統電流をサンプリングするため、親局２により、前記の電気角３０°毎にサンプリング用のタイミング基準信号（７２０Hzのパルス信号）Ｐｓを出力し、このタイミング基準信号Ｐｓを、局間の各下り伝送線４ａを通って各子局３ａ〜３ｒに順次に送る。
【０００４】
そして、親局２及び各子局３ａ〜３ｒにより、タイミング基準信号Ｐｓに同期して電力系統１の系統電流をサンプリングする。
【０００５】
なお、タイミング基準信号Ｐｓは、実際には、親局２が周期的に送出するシリアルデータの特定ビットからなり、各子局３ａ〜３ｒは、その特定ビットをタイミング基準として、タイミング基準信号Ｐｓを認識する。
【０００６】
つぎに、各子局３ａ〜３ｒのサンプリングデータは、通常、前記のシリアルデータに加えられ、伝送線４ａを介して子局３ａから子局３ｂ、ＬＢ局３ｒに順に送られ、さらに、ＬＢ局３ｒから伝送線４ｂを通って親局２に送られる。
【０００７】
そして、親局２により、自局のサンプリングデータと、受信した各子局３ａ〜３ｒのサンプリングデータとの差（系統電流の差）を演算し、この差が事故検出の基準値より大きくなるか否かに基づいて、電力系統１の地絡，短絡等の事故の有無を監視検出する。
【０００８】
さらに、事故を検出すると、親局２から各子局３ａ〜３ｒに開放指令が順次に伝送され、継電器動作により、電力系統１各所の開閉器が開放されて電力系統１が停電する。
【０００９】
ところで、この電流差動保護継電器においては、事故の監視検出精度を向上するため、親局２と各子局３ａ〜３ｒとのサンプリング同期をとり、親局２及び各子局３ａ〜３ｒにより、系統電流を精度よく同時にサンプリングする必要がある。
【００１０】
一方、親局２から各子局３ａ〜３ｒそれぞれまでの信号伝送の遅延特性により、親局２が出力したタイミング基準信号Ｐｓを各子局３ａ〜３ｒが受信するタイミングは、親局２のタイミング基準信号Ｐｓの出力から遅れる。
【００１１】
そのため、各子局３ａ〜３ｒがタイミング基準信号Ｐｓの受信に同期してそれぞれのサンプリング信号を形成し、このサンプリング信号によって系統電流をサンプリングすると、各子局３ａ〜３ｒのサンプリングタイミングが、親局２のサンプリングタイミングから、それぞれの信号伝送の遅延量に応じてずれる。
【００１２】
そこで、特許第２６９２９０７号（特開平２−１５５４２１号）の特許公報には、この種電流差動保護継電器において、つぎの手法で各局２，３ａ〜３ｒのサンプリング同期をとることが記載されている。
【００１３】
すなわち、親局２により、適当な一定間隔毎に、タイミング基準信号ＰｓがＬＢ局７ｒで折返えされて戻ってくるまでの図５の時間Ｔｍを計測する。
【００１４】
このとき、親局２のタイミング基準信号Ｐｓの送出から、各子局３ａ〜３ｒがタイミング基準信号Ｐｓを受信してＬＢ局３ｒ側に送出するまでの図５の各子局３ａ〜３ｒの下りの信号遅延時間ΔＴαと、ＬＢ局３ｒで折返えされたタイミング基準信号Ｐｓが各子局３ｒ〜３ａを介して親局２に戻る際の各子局３ｒ〜３ａの上りの信号伝送の遅延時間ΔＴβとが、子局３ａ〜３ｒそれぞれについて、等しい時間ΔＴ′（＝ΔＴα＝ΔＴβ）になるように、各局２，３ａ〜３ｒの局間距離等が定められる。
【００１５】
また、各子局３ａ，３ｂにより、下り伝送線４ａのタイミング基準信号Ｐｓを、下りの信号として受信してから、上り伝送線４ｂの同じタイミング基準信号Ｐｓを、上りの信号として、再び受信するまでの図５の各時間ＴS′を計測する。
【００１６】
そして、図５からも明らかなように、各子局３ａ〜３ｒにおいて、Ｔｍ＝ΔＴα＋ＴS′＋ΔＴβ＝２・ΔＴ′＋ＴS′（ＬＢ局３ｒにおいてはＴS ′＝０）となり、遅延時間ΔＴ′を、（Ｔｍ−ＴS ′）／２の演算から求めることができるため、親局２から各子局３ａ〜３ｒに時間Ｔｍの計測情報を送り、各子局３ａ〜３ｒにより、それぞれの時間ＴS ′の計測情報と、受信した時間Ｔｍの計測情報とに基づき、前記の（Ｔｍ−ＴS ′）／２の演算からそれぞれの遅延時間ΔＴ′を求める。
【００１７】
そして、各子局３ａ〜３ｒにおいて、それぞれの遅延時間ΔＴ′が、タイミング基準信号Ｐｓの遅れ時間に相当することから、遅延時間ΔＴ′が０になるように、タイミング基準信号Ｐｓに位相同期して動作するサンプリング信号発生器の位相をずらして補正し、各子局３ａ〜３ｒの系統電流のサンプリングタイミングを、親局２のサンプリングタイミングに一致させて各子局３ａ〜３ｒのサンプリング同期がとられる。
【００１８】
【発明が解決しようとする課題】
前記従来の手法で局間のサンプリング同期をとる場合、時間Ｔｍが各子局３ａ〜３ｒそれぞれの２倍の遅延時間２・ΔＴ′を含み、遅延時間ΔＴ′が長くなる程、時間Ｔｍの計測情報量が多くなる。
【００１９】
そして、時間Ｔｍの計測情報を親局２から各子局３ａ〜３ｒに送る際は、遅延時間ΔＴ′が最大のときの情報量に基づいて、時間Ｔｍの計測情報の占有ビット数等を定める必要があるため、時間Ｔｍの時間情報の伝送に多くのビットを要し、その時間情報を効率よく伝送して局間のサンプリング同期をとることができない問題点がある。
【００２０】
本発明は、親局から各子局に送る時間情報のビット数を従来より少なくし、情報伝送効率よく局間のサンプリング同期がとれるようにすることを課題とする。
【００２１】
【課題を解決するための手段】
前記の課題を解決するため、本発明の電流差動保護継電器のサンプリング同期方法は、親局６が周期的に出力したサンプリング用のタイミング基準信号Ｐｓを、局間の各往復伝送路８の下り伝送線８ａを通って折り返し子局７ｒまでの各子局７ａ，７ｂに順次に送り、
前記親局６及び前記各子局７により、前記タイミング基準信号Ｐｓに同期して電力系統１の系統電流をサンプリングし、
前記各子局７のサンプリングデータを、前記各往復伝送路８を通って前記親局６に送り、
前記親局６により、自局のサンプリングデータと受信した前記各子局７のサンプリングデータとの差から、前記電力系統１の系統事故を監視検出して動作する電流差動保護継電器のサンプリング同期方法であって、
前記親局６により、前記タイミング基準信号Ｐｓを一定回数出力する毎に下りの計測指令フラグＦ１を出力し、
前記下りの計測指令フラグＦ１を、前記各往復伝送路８の下り伝送線８ａを通って前記各子局７に順次に送り、
前記折返しの子局７ｒにより、受信した前記下りの計測指令フラグＦ１を、上りの計測指令フラグＦ１’として折返し、前記各往復伝送路８の上り伝送線８ｂを通って前記親局６に返信し、
前記親局６により、前記上りの計測指令フラグＦ１’の受信からつぎの前記タイミング基準信号Ｐｓに同期して計測停止指令フラグＦ２を出力するまでの、前記親局６から前記各子局７それぞれまでの信号伝送の遅延時間ΔＴを含まない時間ＴＭを計測し、
前記親局６により、前記時間ＴＭを付加した計測停止指令フラグＦ２を、前記往復伝送路８の下り伝送線８ａを通って前記各子局７に送出し、
前記各子局７により、
前記上りの計測指令フラグＦ１’の送出から、前記計測停止指令フラグＦ２を受信するまでの、前記各子局７から前記親局６への前記遅延時間ΔＴ、前記時間ＴＭ及び前記親局６から前記各子局７への前記遅延時間ΔＴからなる時間ＴＳを計測し、
（ＴＳ−ＴＭ）／２の演算により、前記親局６から前記各子局７それぞれまでの信号伝送の遅延時間ΔＴを求め、
前記系統電流のサンプリングタイミングを、前記遅延時間ΔＴが０になるように補正し、
前記親局６及び前記各子局７が同期して前記系統電流をサンプリングするようにする。
【００２２】
したがって、例えばタイミング基準信号を１２回出力する毎（電気角３６０°毎）に、親局が下りの計測指令フラグを出力すると、そのフラグが折返しの子局（ＬＢ局）で折返えされ、上りの計測指令フラグとして、親局に戻る。
【００２３】
そして、親局に上りの計測指令フラグが戻ってから、親局がつぎのタイミング基準信号に同期して計測終了指令フラグを出力するまでの図３の時間ＴM を、親局により計測する。
【００２４】
このとき、図３からも明らかなように、時間ＴM には各子局の信号伝送の遅延時間ΔＴが含まれない。
【００２５】
さらに、各子局において、ＬＢ局で折返えされて親局に送る上りの計測指令フラグの受信から、つぎのタイミング基準信号に同期した計測停止指令フラグを受信するまでの時間ＴＳを計測すると、この時間ＴＳは、図３からも明らかなように、遅延時間ΔＴが含まれ、ＴＳ＝ΔＴ＋ＴＭ＋ΔＴである。
【００２６】
そして、各子局により、親局からの受信した時間ＴM の計測情報と、自局で計測した時間ＴS の計測情報とに基づき、（ＴS−ＴM）／２の演算から、それぞれの信号伝送の遅延時間ΔＴが求められ、この遅延時間ΔＴが０になるようにそれぞれの系統電流のサンプリングタイミングが補正されて各局のサンプリング同期がとられる。
【００２７】
この場合、親局が計測して各子局に送る時間ＴM の計測情報は、２・ΔＴの遅延時間の情報が含まれず、その分情報量が少なくなり、親局から各子局に送るＴM の時間情報のビット数が著しく少なくなり、効率よく情報を伝送して局間のサンプリング同期をとることができる。
【００２８】
【発明の実施の形態】
つぎに、本発明の実施の１形態につき、図１〜図３を参照して説明する。
まず、本発明が適用される電流差動保護継電器は、図１に示すように、図４の親局２及び子局３ａ〜３ｒに相当する親局６及び各子局７ａ〜７ｒとを備えて形成され、それらの局間には、図４の往復伝送路４と同様の光ＰＣＭ通信用の往復伝送路８が設けられ、各局６，７ａ〜７ｒが、各往復伝送路８の下り伝送線８ａ，上り伝送線８ｂで接続されている。
【００２９】
なお、図中の９は電力系統であり、１０は各局６，７ａ〜７ｒの計器用変流器（電流計測手段）である。
【００３０】
そして、親局６及び各子局７ａ〜７ｒは図２に示すように構成され、親局６は基準クロック部１１，送信部１２，受信部１３，計測部１４及びＡ／Ｄ変換部１５を有し、基準クロック部１１により、例えば電力系統９の電源の電気角３０°毎に、シリアルデータのタイミング基準信号Ｐｓ（クロックパルス）の特定ビットをセットし、タイミング基準信号Ｐｓを送信部１２から下り伝送線８ａに送信するとともに、送信部１２から内部のＡ／Ｄ変換部１５に、タイミング基準信号Ｐｓに同期したサンプリング信号を供給し、この信号に基づき、Ａ／Ｄ変換部１５により、自局の計器用変流器１０が計測した系統電流をサンプリングする。
【００３１】
また、子局７ａ，７ｂは下り信号送受信部１６，上り信号送受信部１７，計測部１８，サンプリング制御部１９及びＡ／Ｄ変換部２０を有し、下り伝送線８ａに接続された下り信号送受信部１６により、親局側からのタイミング基準信号Ｐｓを受信して認識すると、このタイミング基準信号Ｐｓを、サンプリング制御部１９に同期制御信号として供給し、サンプリング制御部１９からＡ／Ｄ変換部２０に、サンプリング基準信号Ｐｓに同期したサンプリング信号を供給する。
【００３２】
そして、Ａ／Ｄ変換部２０により、サンプリング信号に基づいて自局の計器用変流器１０が計測した系統電流をサンプリングする。
【００３３】
さらに、ＬＢ局７ｒは送受信部２１，計測部２２，サンプリング制御部２３，Ａ／Ｄ変換部２４を有し、下り伝送線８ａに送受信部２１の受信側が接続され、シリアルデータを受信して折返し、送受信部２１の送信側から上り伝送線８ｂに返信出力するとともに、受信したシリアルデータのタイミング基準信号Ｐｓを、サンプリング制御部２３に同期制御信号として供給し、サンプリング制御部２３からＡ／Ｄ変換部２４にサンプリング基準信号Ｐｓに同期したサンプリング信号を供給し、Ａ／Ｄ変換部２４により、Ａ／Ｄ変換部２０と同様にして系統電流をサンプリングする。
【００３４】
なお、ＬＢ局７ｒの送受信部２１から上り伝送線８ｂに返信出力された上りの信号は、子局７ｂ，７ａの上り信号送受信部１７に受信されて順送りされ、親局６の受信部１３に送られて親局６に戻される。
【００３５】
つぎに、例えばタイミング基準信号Ｐｓが１２回発生し、系統電源の１周期（電気角３６０°）の一定時間が経過する毎に、親局６の送信部１２は、送出するシリアルデータのタイミング基準信号Ｐｓのビットをセットするとともに、そのシリアルデータに伝送遅延時間計測用の下りの計測指令フラグＦ1 を付加して出力する。
【００３６】
そして、この計測指令フラグＦ1 が各下り伝送線８ａを通って各子局７ａ，７ｂの下り信号送受信部１６，ＬＢ局７ｒの送受信部２１に順次に受信される。
【００３７】
さらに、ＬＢ局７ｒは、受信した計測指令フラグＦ1 を上りの計測指令フラグＦ1′として折返し、このフラグＦ1′が各上り伝送線８ｂを通り、各子局７ｂ，７ａを介して親局６に返送される。
【００３８】
このとき、ＬＢ局７ｒは計測指令フラグＦ1 ′の返送に同期して計測部２２が時間ＴS の計測を開始し、他の子局７ｂ，７ａは計測指令フラグＦ′を受信して親局側に返送する毎にフラグＦ1′の返送に同期して計測部１８が時間ＴSの計測を開始する。
【００３９】
そして、計測指令フラグＦ1 ′を親局６の受信部１３が受信すると、受信部１５から送信部１２に返送着信が通知される。
【００４０】
この通知に基づき、送信部１２は計測部１４に計測起動信号を与えて時間ＴM の計測を指令し、つぎのタイミング基準信号Ｐｓの送出タイミングになると、計測部１４に計測停止信号を出力して時間ＴMの計測を停止し、時間ＴMの最新の計測情報を計測部１４のメモリ等の記憶手段に書換自在に保持する。
【００４１】
また、つぎのシリアルデータのタイミング基準信号Ｐｓのビットをセットするとともに、そのデータに計測停止指令フラグＦ2 を付加して下り伝送線８ａに送出する。
【００４２】
そして、各子局７ａ〜７ｒはフラグＦ2 を受信すると、計測部１８，２２に計測停止信号を出力してそれぞれの時間ＴSの計測を停止し、時間ＴSの最新の計測情報を計測部１８，２２のメモリ等の記憶手段に書換自在に保持する。
【００４３】
ところで、親局６はタイミング基準信号Ｐｓを送出するときに、計測部１４に保持されている時間ＴM の最新の計測情報も読出してシリアルデータに付加し、下り伝送線８ａに送出する。
【００４４】
そして、子局７ａ，７ｂは送受信部１６，子局７ｒは送受信部２１がタイミング基準信号Ｐｓを受信して認識する毎に、同時に、時間ＴM の最新の計測情報も子局７ａ，７ｂは送受信部１６，子局７ｒは送受信部２１によって受信する。
【００４５】
そして、受信した時間ＴMの計測情報と自局の時間ＴSの最新の計測情報とに基づき、各子局７ａ〜７ｒのサンプリング制御部１９，２３は、（ＴS−ＴM）／２の演算を実行し、親局６が信号を送出してから、その信号を受信するまでの信号伝送の遅延時間ΔＴを求める。
【００４６】
すなわち、図３に示すように親局６が時刻ｔ1 にタイミング基準信号Ｐｓに同期して下り計測指令フラグＦ1を送出し、このフラグＦ1の折返しの返信に基づき、親局６が時刻ｔxに上り計測指令フラグＦ1′を受信し、この受信後の時刻ｔ2 のつぎのタイミング基準信号Ｐｓの送出タイミングに親局６が計測停止指令フラグＦ2を送出することから、ｔx〜ｔ2の時間ＴMには遅延時間ΔＴが含まれない。
【００４７】
一方、各子局７ａ〜７ｒにおいて、計測指令フラグＦ1 ′を送出してから、計測停止指令フラグＦ2を受信するまでの計測時間ＴSは、図３からも明らかなように時間ＴMの前，後のそれぞれの信号伝送の遅延時間ΔＴを含む。
【００４８】
そのため、各子局７ａ〜７ｒにより、前記の（ＴS−ＴM）／２の演算から、各子局７ａ〜７ｒそれぞれの遅延時間ΔＴが求まる。
【００４９】
そして、各子局７ａ〜７ｒはサンプリング制御部１９，２３により、各遅延時間ΔＴが０になるように、それぞれの内部のサンプリング信号発生器の位相を、タイミング基準信号Ｐｓの受信に同期した位相から進めて補正し、サンプリング制御部１９，２３からＡ／Ｄ変換部２０，２４に、補正した位相でサンプリング信号を供給し、Ａ／Ｄ変換部２０，２４により、親局６のＡ／Ｄ変換部１５と同時に系統電流を計測する。
【００５０】
この場合、親局６が各子局７ａ〜７ｒに送る時間ＴM の計測情報には遅延時間ΔＴが含まれず、時間ＴM は、親局６がタイミング基準信号Ｐｓを送信してから親局６に戻ってくるまでの時間（＝ｔ2−ｔ1）より十分に短く、最も長い子局７ｒの遅延時間ΔＴをΔＴmaxとすると、ＴM ≪２・ΔＴmaxである。
【００５１】
そのため、親局６が各子局７ａ〜７ｒに送る時間情報としての時間ＴM の計測情報は、遅延時間ΔＴを含まない一定の少数ビット数になり、従来の遅延時間ΔＴ′の２倍の時間を含む時間Ｔｍ（＝２・ΔＴ′＋ＴS ′）の計測情報よりビット数が少なく、データ長が短くなる。
【００５２】
したがって、親局６が各子局７ａ〜７ｒに送る時間情報のデータ長を従来より短くして効率よく迅速に各局６，７ａ〜７ｒのサンプリング同期をとることができ、例えば、時間情報のデータ長が短くなった分、他のデータ等の伝送を増やすことが可能になる。
【００５３】
そして、各子局７ａ〜７ｒそれぞれの局間の信号伝送の遅延時間ΔＴが上りと下りとで等しければ、子局７ａ〜７ｒの個数，局間の距離等はどのようであってもよい。
【００５４】
また、親局６及び各子局７ａ〜７ｒの構成等は前記形態のものに限られるものではない。
【００５５】
そして、各子局７ａ〜７ｒのサンプリングデータは、前記形態のように下り伝送線８ａで加えられる代わりに、ＬＢ局７ｒ側から順に、受信したサンプリングデータに自局のサンプリングデータを加えて親局６側のつぎの子局に送ることをくり返し、上り伝送線８ｂで加えられて親局６に送られるものであってもよい。
【００５６】
さらに、タイミング基準信号Ｐｓの信号形式等はどのようであってもよく、フラグＦ1，Ｆ1′及びＦ2 についても、伝送効率等の面からは、極力簡単でビット数の少ないものであることが望ましいが、それらの信号形式やビット数等はどのようであってもよい。
【００５７】
そして、本発明は種々のデジタル形の電流差動保護継電器の各子局間のサンプリング同期に適用することができる。
【００５８】
【発明の効果】
本発明は、以下に記載する効果を奏する。
タイミング基準信号Ｐｓに同期して親局６が時刻ｔ1に計測指令フラグＦ1を送出し、このフラグＦ1 が折返しの子局（ＬＢ局）７ｒで折返えされ、上りの計測指令フラグＦ1 ’として親局６に戻ってきた時刻をｔｘとし、つぎのタイミング基準信号Ｐｓに同期した計測停止指令フラグＦ2の出力時刻をｔ2とすると、親局６がｔｘ〜ｔ2の時間ＴMを計測し、この時間ＴM には各子局７ａ〜７ｒの信号伝送の遅延時間ΔＴは含まれない。
【００５９】
さらに、各子局７ａ〜７ｒが、折返しの子局７ｒで折返えされて親局６に返るフラグＦ１’のそれぞれの送信時刻から、時刻ｔ２のフラグＦ２を各子局７ａ〜７ｒが受信するまでの時間ＴＳを計測し、この時間ＴＳには遅延時間ΔＴが含まれ、ＴＳ＝ΔＴ＋ＴＭ＋ΔＴになる。
【００６０】
そして、各子局７ａ〜７ｒにより、親局６から送られた時間ＴM の計測情報と、自局の時間ＴS との計測情報とに基づき、（ＴS−ＴM）／２の演算から、それぞれの信号伝送の遅延時間ΔＴが求められ、この遅延時間ΔＴが０になるようにそれぞれの系統電流のサンプリングタイミングが補正されて各局６，７ａ〜７ｒのサンプリング同期がとられる。
【００６１】
この場合、親局６が計測して各子局７ａ〜７ｒに送る時間ＴＭの計測情報には、２・ΔＴの遅延時間が含まれず、その分情報量が少なくなり、親局６から各子局７ａ〜７ｒに送る時間ＴＭの時間情報のビット数が少なく、その伝送量が少なくて済み、効率よく局間のサンプリング同期をとることができ、時間情報とともに伝送する情報量を多くすることが可能になる。
【図面の簡単な説明】
【図１】本発明の実施の１形態の結線図である。
【図２】図１の詳細な結線図である。
【図３】図１の計測時間の説明図である。
【図４】従来例の結線図である。
【図５】図４の計測時間の説明図である。
【符号の説明】
１，９  電力系統
２，６  親局
３ａ，３ｂ，７ａ，７ｂ  子局
３ｒ，７ｒ  折返しの子局
４，８  往復伝送路
４ａ，８ａ  下り伝送線
４ｂ，８ｂ  上り伝送線
Ｐｓ  タイミング基準信号
Ｆ1  下りの計測指令フラグ
Ｆ1’上りの計測指令フラグ
Ｆ2  計測停止指令フラグ
【図１】
0003903756.tif 000002
【図２】
0003903756.tif 000003
【図３】
0003903756.tif 000004
【図４】
0003903756.tif 000005
【図５】
0003903756.tif 000006